(57)【要約】      （修正有）【課題】建築工事やトンネル内工事において、交差する複数の異形鉄筋を簡単な部品で強固に結束することのできる異形鉄筋交差結束装置を提供する。【解決手段】シャックルを捩り加工した改造ツイストシャックルに異形鉄筋等を挿通し、該改造ツイストシャックルの側面にナットを溶接し、又は異形鉄筋対応座金の側面にナットを溶接し、又は結束補助部材の側面にナットを溶接し、それらのナットにアンカー鉄筋のネジ部を螺合させて、主異形鉄筋、ループ異形鉄筋およびアンカー鉄筋等の交差部を結束するように構成した。【選択図】図１
0003156482.tif 000002
【実用新案登録請求の範囲】
【請求項１】
シャックルを捩り加工した改造ツイストシャックルに異形鉄筋等を挿通し、該改造ツイストシャックルの側面にナットを溶接し、又は異形鉄筋対応座金の側面にナットを溶接し、又は結束補助部材の側面にナットを溶接し、それらのナットにアンカー鉄筋のネジ部を螺合させて、主異形鉄筋、ループ異形鉄筋およびアンカー鉄筋等の交差部を結束するように構成したことを特徴とする異形鉄筋交差結束装置。
【請求項２】
シャックルを捩り加工した改造ツイストシャックルに主異形鉄筋とループ異形鉄筋とを交差させて挿通し、シャックル本体部間のボルトを締め付けると共に、該改造ツイストシャックルの側面に溶接されたナットにアンカー鉄筋を螺合させ、主異形鉄筋、ループ異形鉄筋及びアンカー鉄筋等の交差部を結束するように構成したことを特徴とする請求項１記載の異形鉄筋交差結束装置。
【請求項３】
シャックルを捩り加工した改造ツイストシャックルに主異形鉄筋とループ異形鉄筋とを交差させて挿通し、異形鉄筋対応座金を介して、シャックル本体部先端のネジ部にナットを螺合して締め付けると共に、該異形鉄筋対応座金の側面に溶接されたナットにアンカー鉄筋を螺合させ、主異形鉄筋、ループ異形鉄筋及びアンカー鉄筋等の交差部を結束するように構成したことを特徴とする請求項１記載の異形鉄筋交差結束装置。
【請求項４】
Ｕボルトの内側に、主異形鉄筋及び並列する並列異形鉄筋とを並列挿通し、異形鉄筋対応座金を介して、Ｕボルト先端ネジ部に螺合したナットを締め付けると共に、該異形鉄筋対応座金の側面に溶接されたナットにアンカー鉄筋を螺合させ、主異形鉄筋、並列異形鉄筋及びアンカー鉄筋等の交差部を結束するように構成したことを特徴とする請求項１記載の異形鉄筋交差結束装置。
【請求項５】
結束補助部材に、主異形鉄筋とループ異形鉄筋とを交差させて挿通し、ボルトを締め付けて、主異形鉄筋及びループ異形鉄筋とを係止し、結束補助部材の側面に溶接されたナットにアンカー鉄筋を螺合させ、主異形鉄筋、ループ異形鉄筋及びアンカー鉄筋等の交差部を結束するように構成したことを特徴とする請求項１記載の異形鉄筋交差結束装置。
【請求項６】
結束補助部材に、主異形鉄筋とループ異形鉄筋とを交差させて挿通し、更に回転自在のナットを結束補助部材に保持させて回転させ、該ナットの回転に伴い結束補助部材の背面よりアンカー鉄筋の先端を主異形鉄筋に当接して押圧できるように構成したことを特徴とする請求項１記載の異形鉄筋交差結束装置。
【請求項７】
主異形鉄筋とループ異形鉄筋とを交差させ、Ｕボルトをタスキ掛けにして異形鉄筋対応座金を介してＵボルト先端ネジ部をナット締めつけし、該異形鉄筋対応座金の一部にアンカー鉄筋のネジ部を螺合することのできるナットを溶接して取付けたことを特徴とする請求項１記載の異形鉄筋交差結束装置。
【請求項８】
異形鉄筋対応座金の異形鉄筋当接部がＶ形切欠部又は山形折曲部に形成されていることを特徴とする請求項１記載の異形鉄筋交差結束装置。
【考案の詳細な説明】
【技術分野】
【０００１】  本考案は異形鉄筋交差結束装置に関し、特に建築工事やトンネル内工事において、交差する複数の異形鉄筋を簡単な部品で強固に結束することのできる異形鉄筋交差結束装置に関する。
【背景技術】
【０００２】  従来、鉄筋の結束には番線や結束線が使用されているが、これらを用いるための結束具や種々の鉄筋結束装置が開発されている。
【先行技術文献】
【特許文献】
【０００３】
【特許文献１】  特開平８−１９９８１８号公報
【特許文献２】  特開２００９−１８００１０号公報
【特許文献３】  特開２００３−２３９４５９号公報
【特許文献４】  特開２００７−９２４３５号公報
【０００４】  前記せる特開平８−１９９８１８号公報および特開２００９−１８００１０号公報はいずれも番線や結束線を使用するものであって、結束後の強い強度を要する場合は不向きなものであった。【０００５】  また、前記せる特開２００３−２３９４５９号公報では、鉄筋連結先端部が半円弧状になっているＪ型アーム２本を並列に持ち、Ｊ型アームの先端半円弧状の内側に鉄筋を重合し、Ｊ型アーム上部を固定するナットを基点として固持するものであるが、この連結金具では連結する鉄筋の太さを変えて連結する場合にＪアームの角度を強制的に開くことになるので作業性と強度に問題があった。【０００６】  また、前記せる特開２００７−９２４３５号公報では、締付け座金に固定されたフープ筋把持部に単にフープ筋をはめ込むものであって、フープ筋を強固に固定できる構造ではなく強度的にも問題があった。【０００７】
【考案の概要】
【考案が解決しようとする課題】
【０００８】  異形鉄筋の結束に於いては、簡単な構造で作業性がよく、しかも強度的にも優れた結束ができる異形鉄筋交差結束装置が求められている。
【課題を解決するための手段】
【０００９】  シャックルを捩り加工した改造ツイストシャックルに異形鉄筋等を挿通し、該改造シャックルの側面にナットを溶接し、又は異形鉄筋対応座金の側面にナットを溶接し、又は結束補助部材の側面にナットを溶接し、それらのナットにアンカー鉄筋のネジ部を螺合させて、主異形鉄筋、ループ異形鉄筋およびアンカー鉄筋等の交差部を結束するように構成したことを特徴とし、シャックルを捩り加工した改造ツイストシャックルに主異形鉄筋とループ異形鉄筋とを交差させて挿通し、シャックル本体部間のボルトを締め付けると共に、該改造シャックルの側面に溶接されたナットにアンカー鉄筋を螺合させ、主異形鉄筋、ループ異形鉄筋及びアンカー鉄筋等の交差部を結束するように構成したことを特徴とし、シャックルを捩り加工した改造ツイストシャックルに主異形鉄筋とループ異形鉄筋とを交差させて挿通し、異形鉄筋対応座金を介して、シャックル本体部先端のネジ部にナットを螺合して締め付けると共に、該異形鉄筋対応座金の側面に溶接されたナットにアンカー鉄筋を螺合させ、主異形鉄筋、ループ異形鉄筋及びアンカー鉄筋等の交差部を結束するように構成したことを特徴とし、Ｕボルトの内側に、主異形鉄筋及び並列する並列異形鉄筋とを並列挿通し、異形鉄筋対応座金を介して、Ｕボルト先端ネジ部に螺合したナットを締め付けると共に、該異形鉄筋対応座金の側面に溶接されたナットにアンカー鉄筋を螺合させ、主異形鉄筋、並列異形鉄筋及びアンカー鉄筋等の交差部を結束するように構成したことを特徴とし、結束補助部材に、主異形鉄筋とループ異形鉄筋とを交差させて挿通し、ボルトを締め付けて、主異形鉄筋及びループ異形鉄筋とを係止し、結束補助部材の側面に溶接されたナットにアンカー鉄筋を螺合させ、主異形鉄筋、ループ異形鉄筋及びアンカー鉄筋等の交差部を結束するように構成したことを特徴とし、結束補助部材に、主異形鉄筋とループ異形鉄筋とを交差させて挿通し、更に回転自在のナットを結束補助部材に保持させて回転させ、該ナットの回転に伴い結束補助部材の背面よりアンカー鉄筋の先端を主異形鉄筋に当接して押圧できるように構成したことを特徴とし、主異形鉄筋とループ異形鉄筋とを交差させ、Ｕボルトをタスキ掛けにして異形鉄筋対応座金を介してＵボルト先端ネジ部をナットで締めつけて、該異形鉄筋対応座金の一部にアンカー鉄筋のネジ部を螺合することのできるナットを溶接して取付けたことを特徴とし、且つ、異形鉄筋対応座金の異形鉄筋当接部がＶ形切欠部又は山形折曲部に形成されていることを特徴とする異形鉄筋交差結束装置を提供する。
【図面の簡単な説明】
【００１０】
【図１】  本考案の異形鉄筋交差結束装置の第１実施例の斜視図である。
【図２】  本考案の異形鉄筋交差結束装置の第２実施例の斜視図である。
【図３】  本考案の異形鉄筋交差結束装置の第３実施例の斜視図である。
【図４】  本考案の異形鉄筋交差結束装置の第４実施例の斜視図である。
【図５】  本考案の異形鉄筋交差結束装置の第５実施例の斜視図である。
【図６】  本考案の異形鉄筋交差結束装置の第６実施例の斜視図である。
【図７】  図６の部分断面図である。
【図８】  図６の側面図である。
【図９】  本考案の異形鉄筋交差結束装置の第７実施例の斜視図である。
【図１０】  本考案の異形鉄筋交差結束装置の第８実施例の斜視図である。
【考案を実施するための最良の形態】
【００１１】  以下、図面に示す実施例に基づき、本考案の異形鉄筋交差結束装置について、具体的に説明する。図面に於いて、図１は本考案の異形鉄筋交差結束装置の第１実施例の斜視図である。図２は本考案の異形鉄筋交差結束装置の第２実施例の斜視図である。図３は本考案の異形鉄筋交差結束装置の第３実施例の斜視図である。図４は本考案の異形鉄筋交差結束装置の第４実施例の斜視図である。図５は本考案の異形鉄筋交差結束装置の第５実施例の斜視図である。図６は本考案の異形鉄筋交差結束装置の第６実施例の斜視図である。図７は図６の部分断面図である。図８は図６の側面図である。図９は本考案の異形鉄筋交差結束装置の第７実施例の斜視図である。図１０は本考案の異形鉄筋交差結束装置の第８実施例の斜視図である。【００１２】  図１に示す本考案の異形鉄筋交差結束装置の第１の実施例では、シャックルを捩り加工した改造ツイストシャックル５に主異形鉄筋１とループ異形鉄筋２とを交差させて挿通し、シャックル本体部５１，５２間のボルト６を締め付けると共に、該改造ツイストシャックル５の側面に溶接部４１にて溶接されたナット４にアンカー鉄筋３のネジ部３１を螺合させ、主異形鉄筋１、ループ異形鉄筋２及びアンカー鉄筋３等の交差部が図示せるように結束される。【００１３】  図２に示す本考案の異形鉄筋交差結束装置の第２の実施例では、シャックルを捩り加工した改造ツイストシャックル５に主異形鉄筋１とループ異形鉄筋２とを図示せるように交差させて挿通し、異形鉄筋対応座金７を介して、シャックル本体部５１，５２先端のネジ部５３，５４にナット８を螺合して締め付けると共に、該異形鉄筋対応座金７の側面に溶接されたナット９にアンカー鉄筋３のネジ部３１を螺合させ、主異形鉄筋１、ループ異形鉄筋２及びアンカー鉄筋３等の交差部が図示せるように結束されている。【００１４】  図３に示す本考案の異形鉄筋交差結束装置の第３の実施例では、Ｕボルト１２の内側に、主異形鉄筋１及び並列する並列異形鉄筋１１とを並列挿通し、異形鉄筋対応座金７を介して、Ｕボルト１２の先端ネジ部５３，５４に螺合したナット８を締め付けると共に、該異形鉄筋対応座金７の側面に溶接部７１にて溶接されたナット１０にアンカー鉄筋３を螺合させ、主異形鉄筋１、並列異形鉄筋１１及びアンカー鉄筋３等の交差部が図示せるように結束されている。【００１５】  なお、図３においては要部を表示するために、アンカー鉄筋３を点線で表示している。【００１６】  図４に示す本考案の異形鉄筋交差結束装置の第４の実施例では、結束補助部材１４に、主異形鉄筋１とループ異形鉄筋２とを図示せるように交差させて挿通し、ボルト１５を締め付けて、主異形鉄筋１及びループ異形鉄筋２とを係止し、結束補助部材１４の側面に溶接部１３１にて溶接されたナット１３にアンカー鉄筋３を螺合させ、主異形鉄筋１、ループ異形鉄筋２及びアンカー鉄筋３の交差部が図示せるように結束される。【００１７】  なお、図４においては要部を表示するために、アンカー鉄筋３を点線で表示している。【００１８】  図５に示す本考案の異形鉄筋交差結束装置の第５の実施例では、結束補助部材１４の係止部１４１の形状が齟齬状に形成されているので、ループ異形鉄��２が外れにくくして、主異形鉄筋１とループ異形鉄筋２とを交差させて挿通し、ボルト１５を締め付けて、主異形鉄筋１及びループ異形鉄筋２とを係止し、結束補助部材１４の側面に溶接部１３１にて溶接されたナット１３にアンカー鉄筋３を螺合させ、主異形鉄筋１、ループ異形鉄筋２及びアンカー鉄筋３の交差部を図示せるように結束することができる。【００１９】  なお、図５においては要部を表示するために、アンカー鉄筋３を点線で表示している。【００２０】  また、改造ツイストシャックル５の側部に溶接されるナット４の溶接個所や角度、異形鉄筋対応座金７に溶接されるナット９，１０の溶接個所や角度、更に結束補助部材１４に溶接されるナット１３の溶接個所や角度は予め任意に設定することができるので、複数の異形鉄筋を必要に応じた任意の方向に交差させて結束させることができるものであり、このような。設計変更は本案の技術範囲に属するものである。【００２１】  図６に示す本考案の異形鉄筋交差結束装置の第６の実施例では、結束補助部材１４に、主異形鉄筋１とループ異形鉄筋２とを交差させて挿通し、更に回転自在のナット１６を結束補助部材１４に保持させて回転させ、該ナットの回転に伴い結束補助部材１４の背面よりアンカー鉄筋３の先端を主異形鉄筋１に当接して押圧できるように構成している。【００２２】  更に、図７乃至図８において、第６の実施例について詳しく説明する。
図７乃至図８に示すように結束補助部材１４の下方にはスリット１４２が設けられており
該スリット１４２に、ボルト１６と一体的に形成されたリング部１６１との括れ部が嵌挿され、該ボルト１６及びリング部１６１は一体的に回転可能になるが結束補助部材１４から離脱することなく、回転に伴いネジ部３１が主異形鉄筋１を押圧する方向に移動し、主異形鉄筋１、ループ異形鉄筋２及びアンカー鉄筋３の交差部を図示せるように結束することができる。【００２３】  また結束補助鉄筋１４にスリットを設けずにボルト１６の括れ部の先端にリング１６１を溶接又はカシメで接合することも可能である。【００２４】  図９に示す本考案の異形鉄筋交差結束装置の第７の実施例では、主異形鉄筋１とループ異形鉄筋２とを交差させ、Ｕボルト１２１をタスキ掛けにして異形鉄筋対応座金７２を介してＵボルト先端ネジ部２０，２１をナット１８，１９で締めつけ、該異形鉄筋対応座金７２の一部にアンカー鉄筋３のネジ部３１を螺合することのできるナット１７を溶接部１７１で溶接して取付けた異形鉄筋交差結束装置をしめしている。【００２５】    前記の構造によって、主異形鉄筋１、ループ異形鉄筋２及びアンカー鉄筋３の交差部を図示せるように結束することができる。【００２６】  図１０に示す本考案の異形鉄筋交差結束装置の第８の実施例においては、異形鉄筋対応座金７２の異形鉄筋の当接部がＶ形切欠部７２２又は山形折曲部７２３に形成されており主異形鉄筋１、ループ異形鉄筋２及びアンカー鉄筋３の交差部を図示せるように結束することができる。
【符号の説明】
【００２７】    １  主異形鉄筋
１０  ナット
１１  並列異形鉄筋
１２  Ｕボルト
１２１  Ｕボルト
１３  ナット
１７  ナット
１７１  溶接部
１８  ナット
１９  ナット
１３１  溶接部
１４  結束補助部材
１４０  係止部
１４１  係止部
１４２  スリット
１５  ボルト
１６ナット
１６１  リング部
２  ループ異形鉄筋
２０  Ｕボルト先端ネジ部
２１  Ｕボルト先端ネジ部
３  アンカー鉄筋
３１  ネジ部
３２  ネジ部
４  ナット
４１  溶接部
５  改造ツイストシャックル
５１  シャックル本体部
５２  シャックル本体部
５３  ネジ部
５４  ネジ部
６  ボルト
７  異形鉄筋対応座金
７１  溶接部
７２  異形鉄筋対応座金
７２１  Ｖ形切欠部
７２２  Ｖ形切欠部
７２３  山形折曲部
８  ナット
９  ナット
【図１】
0003156482.tif 000003
【図２】
0003156482.tif 000004
【図３】
0003156482.tif 000005
【図４】
0003156482.tif 000006
【図５】
0003156482.tif 000007
【図６】
0003156482.tif 000008
【図７】
0003156482.tif 000009
【図８】
0003156482.tif 000010
【図９】
0003156482.tif 000011
【図１０】
0003156482.tif 000012